(57)【要約】【課題】歯ブラシを歯ブラシ立てに立てる場合、歯ブラシ立てを置く場所を確保するのに手間取る。また、歯ブラシをコップに立てる場合、不安定になりひっくり返してしまう恐れがある。また、歯間ブラシを歯ブラシ立てやコップに立てる場合、取り出しにくい。【解決手段】容器の側面にバネ部材と押さえ部と受け部からなるクリップが配置されてなり、筒状部の開口部の内側形状を上方に延長した空間とクリップが互いに干渉しない位置関係に配置されてなる小物入れとする。【選択図】図１
2005304808.tif 000002
【特許請求の範囲】
【請求項１】
筒状部の下方に底部が形成されているとともに上方に開口部が形成された容器であって、容器の側面にはバネ部材と押さえ部と受け部からなるクリップが配置されており、筒状部の開口部の内側形状を上方に延長した空間とクリップが、互いに干渉しない位置関係に配置されたことを特徴とする小物入れ。
【請求項２】
容器とクリップにそれぞれ連結形状を形成し、容器とクリップを着脱可能としたことを特徴とする請求項１に記載の小物入れ。
【請求項３】
押さえ部または受け部に張出し部を形成し、張出し部を容器としたことを特徴とする請求項１に記載の小物入れ。
【発明の詳細な説明】
【技術分野】
【０００１】
本発明は、歯ブラシや歯間ブラシ等の小物を収納するための小物入れに関するものである。
【背景技術】
【０００２】
日常使用している歯ブラシを収納する場合、歯ブラシ立てに立てたり、コップに立てたりするのが一般的である。また歯間ブラシを収納する場合には、歯ブラシ立てやコップに立てる場合の他に、歯間ブラシ専用のホルダーに収納する場合もある。
【特許文献１】特開２００２−１６５８１３号公報
【発明の開示】
【発明が解決しようとする課題】
【０００３】
しかしながら、歯ブラシを歯ブラシ立てに立てる場合、立てることが可能な歯ブラシの本数はせいぜい５〜６本であり、それ以上の本数を立てる場合は別の歯ブラシ立てを用意し、それを置く場所を確保するのに手間取るという問題があった。また、コップに立てる場合には、歯ブラシが斜めに立てられ不安定になりがちなため歯ブラシごとコップをひっくり返してしまう恐れや、コップをうがいなどで使用する場合に、その時点で使用しない歯ブラシを置く場所を探すのに手間取るという問題があった。
一方、歯間ブラシを歯ブラシ立てやコップに立てる場合、歯間ブラシは一般に柄が細く短いため歯ブラシ立てやコップから取り出しにくかったり、空間部や隙間の多い歯ブラシ立てに立てた場合には空間部や隙間から脱落しやすかったりするという問題があった。また、歯間ブラシ専用のホルダーに収納する場合、前記特許文献１・特開２００２−１６５８１３号公報においては、「壁面等に接着テープやフックなどの取付け手段を用いて固定されるプレートと、このプレートに水平に取付けられる台座とを別体に備えてなる」ものであり、一度任意の場所にホルダーを固定すると配置レイアウトの変更が容易にはできないという問題があった。
【課題を解決するための手段】
【０００４】
本発明は上記問題点に鑑みてなされたものであり、請求項１に記載の発明に係わる小物入れは、筒状部の下方に底部が形成されているとともに上方に開口部が形成された容器であって、容器の側面にはバネ部材と押さえ部と受け部からなるクリップが配置されており、筒状部の開口部の内側形状を上方に延長した空間とクリップが、互いに干渉しない位置関係に配置されたことを要旨とし、請求項２に記載の発明に係わる小物入れは、請求項１に記載の小物入れにおいて、容器とクリップにそれぞれ連結形状を形成し、容器とクリップを着脱可能としたことを要旨とし、請求項３に記載の発明に係わる小物入れは、請求項１に記載の小物入れにおいて、押さえ部または受け部に張出し部を形成し、張出し部を容器としたことを要旨とする。
【発明の効果】
【０００５】
本発明により、より多くの歯ブラシを立てる場合、必要な数の小物入れを適当な場所にクリップで留めて立てればよいので置く場所の確保に手間取らないという効果が得られる。また、コップに歯ブラシを立てる場合、安定して立てることができるという効果が得られる。また、コップをうがいなどで使用する場合に、その時点で使用しない歯ブラシを小物入れごとクリップで洋服のポケットなどに留めておけばよいので、その時点で使用しない歯ブラシを置く場所を探すのに手間取らないという効果が得られる。また、歯間ブラシなどの柄が細く短いものでも取り出しやすく、空間部や隙間から脱落することがないという効果が得られる。また、配置レイアウトの変更を容易にできるという効果が得られる。
【発明を実施するための最良の形態】
【０００６】
以下、本発明の請求項１乃至３に係わる実施の形態を、それぞれ実施例１乃至３にて説明する。
【実施例１】
【０００７】
図１乃至図５は本発明の第１実施例である。容器１は歯ブラシなどの小物を収容できるような筒状部２をもち、下方に底部３が形成されており、上方に開口部４が形成されている。また、容器１の側面にはクリップ５が配置されており、このクリップ５は容器１の側面部から延設されている支持部６を中心に回動可能に配置されている押さえ部７と、容器１の側面に位置する受け部８によりバネ部材９の弾発力を利用して被挟持物を挟持することが可能となっており、図３のように、洗面台に設置されている柵状部１０に対して歯間ブラシ１１などを収納して挟持することが可能となっている。また、コップに対して挟持することが可能となっている。あるいは、図４のように服のポケットに対して歯ブラシ１２などを収納して挟持することが可能となっている。なお、開口部４の内側形状を上方に延長した空間とクリップが干渉しないように配置されている為、容器１に歯ブラシや歯間ブラシを立てたときに、クリップに接触するのを極力防止するとともに出し入れがしにくくならないようになっている。また、押さえ部７には弾性部材１３が取り付けられており、挟持、非挟持が繰り返される場合や被挟持物が挟持しにくい形状の場合でも、ぐらつきが少なくしっかりと挟持することが可能となっている。なお、弾性部材１３を使用せずともしっかりと挟持できるよう、図５のように受け部8に突起１５を形成してもよい。要は押さえ部７または受け部８の少なくともどちらか一方にぐらつきを少なくするための手段を設ければよい。また他に、ごみが溜まりにくいように底部３付近に窓孔１４を形成したり、複数本収用しやすいよう仕切り部１６を設けたりしてもよい。
【実施例２】
【０００８】
図６乃至図８は本発明の第２実施例である。本実施例における容器１とクリップ５はそれぞれ別体として構成されている。容器１の側面には軸部１７と頭部１８からなる鉤部１９が形成されており、鉤部１９の付根周囲には乗越え山２０が形成されている。また、クリップ５の受け部８には頭部１８の形状より若干大きい長孔部２１と軸部１７の外径より若干大径の内径をもつ丸孔部２２が連接している差込孔２３が形成されており、丸孔部２２の周囲には乗越え山２４が形成されている。この鉤部１９と差込孔２３により容器１とクリップ５を連結して使用可能としたものである。容器１とクリップ５を連結するには頭部１８を長孔部２１に差込み、長孔部２１内に嵌った軸部１７を丸孔部２２にスライドさせる。軸部１７が丸孔部２２に達した位置で使用可能となる。このとき容器１をクリップ５に対して軸部１７を中心に回転させ、乗越え山２０と乗越え山２４が互いに乗り越えた位置で停止させ、容器１とクリップ５を任意の角度に設定して使用することも可能となる（図７）。尚、連結のがたつきを極力抑えるよう、乗越え山２０と乗越え山２４それぞれの間隔や形状を適宜設定してもよい。また、長孔部２１と丸孔部２２の接続部に軸部１７の外径より若干狭くなる部分を形成して、丸孔部２２に嵌まり込んだ軸部１７が一定の力がかからなければ長孔部２１に戻らないよう設定してもよい。また図８のように頭部１８を球形とし、頭部１８と連結するための頭部受け２５とすることで容器１とクリップ５の設定角度を３次元的に設定できるようにしてもよい。本実施例により、歯ブラシや歯間ブラシなど長さが異なるものを収納する場合や、洗面台に設置されている柵状部１０やコップなど取り付け対象の形状が異なる場合でも、容器１とクリップ５をそれぞれ複数種設定しておくことにより、使用者が適宜組み合わせて使用することが可能となり、必要に応じて分解し別な組み合わせで使用することが可能となる。
【実施例３】
【０００９】
図９乃至図１１は本発明の第３実施例である。本実施例においてはクリップ５の一部を変形して容器１となしたものである。押さえ部７と受け部８はバネ部材９で連結されクリップ５が構成されており、受け部８は３箇所に張り出し部２６が形成され一番下の張り出し部は底部３を持つように形成され、受け部８と張り出し部２６にて容器１が構成されている。本実施例により部品点数を最小限とすることが可能となるだけでなく、受け部８を射出成型により作成する場合に単純な金型構造とすることが可能となる。また、押さえ部７と受け部８の両側に張出し部２６を形成してもよく、図１１のように片側に複数の収納箇所とすることも簡単に設定することが可能となる。尚、張出し部２６の個数、形状は適宜決めればよい。
【図面の簡単な説明】
【００１０】
【図１】第１実施例を示した斜視図である。
【図２】第１実施例の縦断面図である。
【図３】第１実施例の使用状態を示した斜視図である。
【図４】第１実施例の使用状態を示した斜視図である。
【図５】第１実施例の変形例を示した縦断面図である。
【図６】第２実施例を示した分解斜視図である。
【図７】第２実施例の使用状態を示した斜視図である。
【図８】第２実施例の変形例を示した縦断面図である。
【図９】第３実施例を示した分解斜視図である。
【図１０】第３実施例の縦断面図である。
【図１１】第３実施例の変形例の使用状態を示した斜視図である。
【符号の説明】
【００１１】
１    容器
２    筒状部
３    底部
４    開口部
５    クリップ
６    支持部
７    押さえ部
８    受け部
９    バネ部材
１０    柵状部
１１    歯間ブラシ
１２    歯ブラシ
１３    弾性部材
１４    窓孔
１５    突起
１６    仕切り部
１７    軸部
１８    頭部
１９    鉤部
２０    乗越え山
２１    長孔部
２２    丸孔部
２３    差込孔
２４    乗越え山
２５    頭部受け
２６    張出し部
【図１】
2005304808.tif 000003
【図２】
2005304808.tif 000004
【図３】
2005304808.tif 000005
【図４】
2005304808.tif 000006
【図５】
2005304808.tif 000007
【図６】
2005304808.tif 000008
【図７】
2005304808.tif 000009
【図８】
2005304808.tif 000010
【図９】
2005304808.tif 000011
【図１０】
2005304808.tif 000012
【図１１】
2005304808.tif 000013